(57)【特許請求の範囲】
【請求項１】
装置本体から被引き出し部材をスライドさせて引き出し可能に支持する引き出し装置であって、
引き出し方向に沿って配置されるレールと、
前記被引き出し部材に配置され、前記レールに係合して被引き出し部材をレールに沿って移動させるための係合手段と、
前記被引き出し部材に配置され、該被引き出し部材を引き出したときに前記レールに設けられた停止部に当接して前記被引き出し部材を停止させる引き出し停止部材と、を有する引き出し装置において、
前記引き出し停止部材を上下に揺動自在に支持し、自重により下方に下がった状態にあるときに前記レールの停止部に当接して前記被引き出し部材を停止可能であり、前記引き出し停止部材を上方に持ち上げることによって前記停止部との当接を解除して前記被引き出し部材を前記装置本体から引き抜くことが可能であることを特徴とする引き出し装置。
【請求項２】
前記係合手段は前記レールに係合して転がるコロ部材を有し、前記引き出し停止部材は前記コロ部材の回転軸を中心として揺動自在であることを特徴とする請求項１に記載の引き出し装置。
【請求項３】
前記レールはコの字形状に形成されており、前記係合手段は、引き出し方向に沿って前後に設けられ、前記レールの内側に摺動する一対のコロ部材を有することを特徴とする請求項１に記載の引き出し装置。
【請求項４】
手動で前記引き出し停止部材を移動させて、引き出し停止部材の位置を、引き出し装置を停止させる位置と停止させない位置とに切換えるための把手部材を引き出し停止部材に設けたことを特徴とする請求項１乃至３のいずれか１項に記載の引き出し装置。
【請求項５】
前記把手部材に、前記引き出し停止部材を前記レールのガイド部に案内するための案内部を設けたことを特徴とする請求項４記載の引き出し装置。
【請求項６】
請求項１乃至５のいずれか１項に記載の引き出し装置と、
前記引き出し装置によりスライド可能に支持された被引き出し部材としてのシート収納トレイと、
前記シート収納トレイから送り出されるシートに画像を形成する画像形成手段と、を有することを特徴とする画像形成装置。
【発明の詳細な説明】
【０００１】
【発明の属する技術分野】
本発明は各種装置本体に対して、被引き出し部材の引き出し及び装着を可能にするための引き出し装置に関するものである。
【０００２】
【従来の技術】
各種装置には、装置本体に対して引き出し及び装着を可能にするための引き出し装置が設けられている。例えば、電子写真プロセスによって画像を記録する複写機、レーザービームプリンタ、ＬＥＤプリンタ等の画像形成装置には、画像形成装置本体に対して種々の構成部品を引き出したり押し込んだりするための引き出し装置が設けられている。
【０００３】
図１１にこの一例を示す。この画像形成装置１に設けられている引き出し装置の例は、所望の画像を形成するための用紙（シート）を多数枚収納した用紙収納トレイ２を画像形成装置本体内に格納するために設けられているものである。
【０００４】
図１２はこの引き出し装置の斜視図であり、用紙収納トレイ２には、引き出す時のガイドとなる溝部３と、スムーズに引き出すことのできるように、画像形成装置１の後述するレール上を転がるコロ部材４、５が設けられている。コロ部材４は軸６の周りに回転自在で、コロ部材５は軸７の周りに回転自在であって、軸６、７はコロ支持部材８に固定されている。
【０００５】
これに対して画像形成装置１には図１３に示すように、用紙収納トレイ２を引き出す時のガイドとなるレール９及び用紙収納トレイ２に配置されているコロ部材４、５が転がるレール１０が設けられている。レール９は下方に開いた略コの字の形状をしており、その上に用紙収納トレイ２の溝部３が嵌まって、用紙収納トレイ２の左右方向の位置が決まるようになっている。
【０００６】
また、図１４は用紙収納トレイ２を引き出したときの画像形成装置１の側面図、図１５は図１４の側面詳細図である。図１５に示すように、レール１０は図示しない外レールと内レール１２とで構成され、画像形成装置１に固定された外レールに対して、その内側を内レール１２が摺動するようになっている。外レールと内レール１２は共に剛性が必要なことから通常板金で形成されている。
【０００７】
用紙収納トレイ２を引き出してくると、内レール１２の端部に設けられた停止部１３がコロ支持部材８の端部に衝突して、図１４及び図１５に示すような状態で用紙収納トレイ２を停止させて、引き抜けないようにしている。内レール１２の停止部１３は図示のごとく、内レール１２の底面から略Ｚ字形状に曲げられた曲げによって構成されている。
【０００８】
【発明が解決しようとする課題】
しかしながら上記従来例では、用紙収納トレイ２の手前、即ち図１１の図に向かって手前側の引き出す側を持ち上げ、用紙収納トレイ２を傾けて引き出すとコロ支持部材８の端部は内レール１２の停止部１３に当接せずに引き抜かれてしまう。
【０００９】
これは例えば画像形成装置１が低いところに置いてあって、オペレータが高いところから図１１の用紙収納トレイ２の把手を掴んで引き抜いた場合、把手部分が持ち上がり易く、その結果コロ支持部材８も上へ上がってしまうために容易に起こる。
【００１０】
これにより用紙収納トレイ２が画像形成装置１より分離してしまうので、用紙収納トレイ２を停止させる機能が機能せず、これを解決することが課題となっていた。
【００１１】
本発明は、この問題点に鑑みてなされたものであり、引き出し装置により引き出される部材を傾けても引き抜かれないようにし、さらに、停止を解除することにより容易に引き抜けるようにすることを目的とするものである。
【００１２】
【課題を解決するための手段】
本発明は、装置本体から被引き出し部材をスライドさせて引き出し可能に支持する引き出し装置であって、引き出し方向に沿って配置されるレールと、前記被引き出し部材に配置され、前記レールに係合して被引き出し部材をレールに沿って移動させるための係合手段と、前記被引き出し部材に配置され、該被引き出し部材を引き出したときに前記レールに設けられた停止部に当接して前記被引き出し部材を所定の引き出し停止位置で停止させる引き出し停止部材と、を有する引き出し装置において、前記引き出し停止部材を上下に揺動自在に支持し、自重により下方に下がった状態にあるときに前記レールの停止部に当接して前記被引き出し部材を停止可能であり、前記引き出し停止部材を上方に持ち上げることによって前記停止部との当接を解除して前記被引き出し部材を前記装置本体から引き抜くことが可能であることを特徴とする。
【００１３】
【発明の実施の形態】
図１から図５は本発明の第１の実施の形態を示すものであり、図１は引き出し装置の斜視図、図２は引き出し停止部材の詳細図、図３から図５は画像形成装置の側面図で、図３は引き出し装置を略水平に引き出した図、図４は引き出し装置の手前を持ち上げながら引き出した図、図５は引き出し装置を画像形成装置から完全に引き抜く動作を示した図である。従来の技術と同様の形状、機能のものについては同一の符号を付して詳細な説明は省略する。
【００１４】
図１において、２２は被引き出し部材としての用紙収納トレイ、３は引き出す時のガイドとなる溝部、４及び５は画像形成装置１に設けられているレールに当接して転がるコロ部材、６及び７はそれぞれコロ部材４及び５の回転軸となる軸、８は軸６及び７が固定されるコロ支持部材、１４は引き出し停止部材である。
【００１５】
引き出し停止部材１４は軸６の周りに矢印Ａ方向に揺動自在であって、自由な状態では自重で下方に揺動して下がっている。引き出し停止部材１４を更に詳細に説明すると、図２に示すように、軸６が嵌合する丸穴１５、丸穴１５の中心から半径ｒを中心とした長丸穴１６、用紙収納トレイ２２を停止させる停止部１７等からなっている。長丸穴１６は軸７と図示の隙間ａを全揺動範囲で維持しており、スムーズに引き出し停止部材１４が揺動できるようになっている。引き出し停止部材１４が自重で下がると、軸７は長丸穴１６の上端部１６−１に突き当たって引き出し停止部材１４はここで下がり切った状態である。
【００１６】
このような引き出し停止部材１４を設けた用紙収納トレイ２２を画像形成装置１から引き出してくると、図３に示すように略水平に引き出した場合は、コロ部材５は内レール１２に当接回転して、引き出し停止部材１４は内レール１２のレール面を摺動する。そして引き出し停止部材１４の停止部１７が内レール１２の停止部１３に当接して用紙収納トレイ２２を停止させる。
【００１７】
これに対して、用紙収納トレイ２２の手前、即ち引き出して来る側を持ち上げ、用紙収納トレイ２２を傾けて引き出すと、図４に示すようにコロ部材５は内レール１２のレール面より浮く。しかし、引き出し停止部材１４は用紙収納トレイ２２が持ち上がっても自重で揺動して下がるので、略水平に用紙収納トレイ２２を引き出してきたのと同じ姿勢を保ちながら、内レール１２のレール面に摺動する。そして、引き出し停止部材の停止部１７が内レール１２の停止部１３に当接して用紙収納トレイ２２を停止させる。これにより用紙収納トレイ２２が画像形成装置１より引き出されてしまうことがない。
【００１８】
用紙収納トレイ２２を画像形成装置１より完全に引き出す場合には、図５に示すように、オペレータが引き出し停止部材１４の先端部を持ち上げると、引き出し停止部材１４の停止部１７が内レール１２の停止部１３から退避するので、簡便に用紙収納トレイ２２を引き抜くことができる。
【００１９】
図６から図８は本発明の第２の実施の形態を示すものである。図６は引き出し停止部材と把手部材の斜視図、図７は内レールの斜視図、図８はレール、引き出し停止部材及び把手部材の側面図である。
【００２０】
本実施の形態においては、把手部材が設けられたことが第１の実施の形態と異なり、第１の実施の形態と同一の部材には同一の番号を付して説明する。
【００２１】
図６において、１４は引き出し停止部材であってその端部には把手部材１８が装着されている。把手部材１８は引き出し停止部材１４の先端部を覆うようになっており、合成樹脂で形成されている。
【００２２】
オペレータが用紙収納トレイ２２を完全に引き抜く時に、引き出し停止部材１４を持ち上げる箇所が明確にわかるため、容易に引き出し停止部材１４の停止部１７を内レール１２の停止部１３から退避させることができる。また、把手部材１８には案内部としての一部が斜面となった凸部１８−１が形成されている。
【００２３】
一方、内レール１２は、図７に示すような略コの字形状をしており、その端部には小さな曲げ部１２−１、１２−２が形成されている。図示しない外レールも同様な形状をしており、内レール１２のコの字形状部と曲げ部１２−１、１２−２の外面が外レールの内面を摺動するようになっている。
【００２４】
引き出し停止部材１４は用紙収納トレイ２２の全引き出し範囲の中の、内レール１２があるところでは内レール１２のレール面を摺動しているが、それ以外のところ、即ち内レール１２より画像形成装置の奥側では図８（ａ）に示すように、自由な状態で自重で下方に下がりきっている。この状態から用紙収納トレイ２２を引き抜くと図８（ｂ）に示すように、まず把手部材１８の凸部１８−１の斜面が内レール１２の曲げ部１２−１に当接する。更に用紙収納トレイ２２を引くと図８（ｃ）に示すように、把手部材１８の凸部１８−１の斜面により把手部材１８が上へ持ち上がり、引き出し停止部材１４も上へ揺動する。
【００２５】
その結果、引き出し停止部材１４は内レール１２にスムーズに入り込んで、レール面に乗ることができる。
【００２６】
本実施の形態においては、合成樹脂の把手部材１８を装着したことでオペレータの操作性を向上させ、把手部材１８の凸部１８−１により、引き出し停止部材１４の揺動位置を制御して、引き出し停止部材１４がスムーズに内レールに乗り上げることができるようになっている。これによりレールを短く設定することができ、小型化及び低コスト化が図れる。
【００２７】
図９及び図１０は本発明の第３の実施の形態を示す。図９は引き出し停止部材の側面図、図１０は引き出し装置の要部側面図である。
【００２８】
本実施の形態においては、引き出し停止部材の形状が第２の実施の形態と異なり、第２の実施の形態と同一の部材には同一の番号を付して説明する。
【００２９】
図９において、引き出し停止部材２４には軸６が挿入される長丸穴１９、長丸穴１９の中心から半径ｒを中心とした長丸穴２０が設けられている。長丸穴１９は左右に長い長丸穴であって、上下方向は軸６の外径と略同一か僅かに広い程度であり、嵌合しており、左右方向には軸６の両側に隙間ｂを形成している。
【００３０】
長丸穴２０はその短径方向、即ち長丸穴１９中心を中心とした法線方向は幅ｃであって、軸７の外径と略同一か僅かに広い程度であり、嵌合している。引き出し停止部材２４は軸７と長丸穴２０の幅ｃとで嵌合しているが、長丸穴１９と軸６とは左右方向に隙間ｂがあるため、軸６周りにスムーズに揺動できる。引き出し停止部材２４が自重で下がると、軸７は長丸穴２０の上端部２０−１に突き当たって引き出し停止部材２４はここで下がりきる。
【００３１】
引き出し停止部材２４の停止部２７が内レールの停止部１３に衝突すると、図１０に示すように引き出し停止部材２４には矢印ｆ方向の衝撃荷重が掛かる。この荷重は長丸穴２０が軸７に当接しているため、長丸穴２０を通して軸７及びコロ支持部材８が荷重を受ける。
【００３２】
これによって引き出し停止部材２４に掛かった衝撃荷重はその近傍の軸７で受けるため、第１の実施の形態及び第２の実施の形態の軸６で受けるのに比べ、引き出し停止部材２４の一部分に衝撃荷重がかかるのみですみ、引き出し停止部材２４の薄肉化、軽量化が図れる。
【００３３】
【発明の効果】
以上詳細に説明したように本発明によれば、スライドして引き出し可能であって、引き出す時にガイドとなるレールに案内されて引き出される引き出し装置に於いて、引き出した時に引き出し装置を停止させ、その位置が引き出し装置を停止させる位置と停止させない位置とに移動可能に引き出し停止部材を設けたことにより、引き出し装置が誤まって引き抜かれてしまうのを安価且つ簡便な構成で防止できる。
【００３４】
また、手動で前記引き出し停止部材を移動させて、引き出し停止部材の位置を、引き出し装置を停止させる位置と停止させない位置とに切換えることのできる把手部材を、引き出し停止部材に設け、引き出し停止部材をレールのガイド部に案内するための案内部を設けたことをにより、オペレータの操作性を向上させ、引き出し停止部材がスムーズにレールに乗り上げるようにすることができる。
【００３５】
さらに、引き出し停止部材の停止部に掛かった衝撃荷重を引き出し停止部材の停止部の近傍で受けることにより、引き出し停止部材の薄肉化、軽量化が図れる。
【図面の簡単な説明】
【図１】本発明の実施の形態１に係わる引き出し装置の斜視図
【図２】本発明の実施の形態１に係わる引き出し停止部材の詳細図
【図３】本発明の実施の形態１に係わる画像形成装置の側面図で、用紙収納トレイを略水平に引き出した図
【図４】本発明の実施の形態１に係わる画像形成装置の側面図で、用紙収納トレイの手前を持ち上げながら引き出した図
【図５】本発明の実施の形態１に係わる画像形成装置の側面図で、用紙収納トレイを画像形成装置から完全に引き抜く動作を示した図
【図６】本発明の実施の形態２に係わる引き出し停止部材と把手部材の斜視図
【図７】本発明の実施の形態２に係わる内レールの斜視図
【図８】本発明の実施の形態２に係わるレール、引き出し停止部材及び把手部材の側面図
【図９】本発明の実施の形態３に係わる引き出し停止部材の詳細図
【図１０】本発明の実施の形態３に係わる引き出し装置の要部側面図
【図１１】画像形成装置の正面外観図
【図１２】従来の引き出し装置の斜視図
【図１３】画像形成装置の詳細図
【図１４】従来の画像形成装置の側面図
【図１５】従来の画像形成装置の側面詳細図
【符号の説明】
１  画像形成装置
２、２２  用紙収納トレイ
３  溝部
５  コロ部材
７  軸
８  コロ支持部材
１０  レール
１２  内レール
１３  内レールの停止部
１４、２４  引き出し停止部材
１５  丸穴
１６、１９、２０  長丸穴
１７、２７  引き出し停止部材の停止部
１８  把手部材
【図１】
0003571910.tif 000002
【図２】
0003571910.tif 000003
【図３】
0003571910.tif 000004
【図４】
0003571910.tif 000005
【図５】
0003571910.tif 000006
【図６】
0003571910.tif 000007
【図７】
0003571910.tif 000008
【図８】
0003571910.tif 000009
【図９】
0003571910.tif 000010
【図１０】
0003571910.tif 000011
【図１１】
0003571910.tif 000012
【図１２】
0003571910.tif 000013
【図１３】
0003571910.tif 000014
【図１４】
0003571910.tif 000015
【図１５】
0003571910.tif 000016